(57)【要約】【課題】  未熟練者であっても、競技規則に則した判定部を、容易且つ正確に造形できるようにし、ファール判定の公平を図ることができるようにする。【解決手段】  ファール判定板Ｆの板本体１０の凹所１５に付設された粘土からなり、凹所１５に充填され所定角度θになるように切除された傾斜面２１を有した主体部２２と、主体部２２に連続し板本体１０の上面１１と面一に形成される所定幅ｄの被覆部２３とを有した判定部２０を造形するもので、板本体１０に被冠される被冠体３０に、判定部２０の傾斜面２１に対応し板本体１０の凹所１５に付着させた粘土が露出可能な貫通孔３４を形成し、被冠体３０の貫通孔３４が形成された表面周囲を貫通孔３４から突出した粘土の余分部分を切除するヘラＫが摺接するガイド面３５として構成し、貫通孔３４から突出した粘土の余分部分をヘラＫにより切除することにより判定部２０を造形可能にした。【選択図】  図２
2018198935.tif 000002
【特許請求の範囲】
【請求項１】
跳躍する競技者が助走路側から踏切る踏切板の跳躍方向先端で構成される踏切線に隣接して設置され、断面矩形状の所定長さの板の助走路側に位置させられる上縁部を長手方向に沿って切り欠いた凹所を有して形成された板本体と、該板本体の凹所にその長手方向に沿って付設され助走路側が長手方向に沿う所定角度（θ）の傾斜面を有して粘土で所定形状に造形され競技者の踏切足が踏切線から跳躍方向前方へ出たとき該踏切足の痕跡を得てファールとして判定可能な判定部とを有したファール判定板の当該判定部を造形するファール判定板の判定部造形装置であって、
上記板本体に被冠される被冠体を備え、該被冠体に、少なくとも上記判定部の傾斜面に対応し上記板本体の凹所に付着させた粘土が露出可能な貫通孔を形成し、該被冠体の貫通孔が形成された表面周囲を該貫通孔から突出した粘土の余分部分を切除するヘラが摺接するガイド面として構成し、上記貫通孔から突出した粘土の余分部分をヘラにより切除することにより上記判定部を造形可能にしたことを特徴とするファール判定板の判定部造形装置。
【請求項２】
上記被冠体の貫通孔を上記判定部の傾斜面に対応して形成し、上記被冠体若しくは該被冠体とは別に設けた別被冠体を用い、上記被冠体若しくは別被冠体に、上記判定部の傾斜面を含む上向きに露出する部位に対応し、上記板本体の凹所に付着させた粘土が露出可能な上記貫通孔とは異なる別の別貫通孔を形成し、該別貫通孔が形成された表面周囲を該別貫通孔から突出した粘土の余分部分を切除するヘラが摺接するガイド面として構成し、上記被冠体若しくは別被冠体に、上記別貫通孔から突出した粘土の余分部分をヘラにより切除することにより上記判定部の傾斜面以外の部分が造形された中間品を造形可能にしたことを特徴とする請求項１記載のファール判定板の判定部造形装置。
【請求項３】
跳躍する競技者が助走路側から踏切る踏切板の跳躍方向先端で構成される踏切線に隣接して設置され、上面，底面，一対の側面及び一対の端面を有した断面矩形状の所定長さの板の助走路側に位置させられる上縁部を長手方向に沿って切り欠いた凹所を有して形成された板本体と、該板本体の凹所にその長手方向に沿って付設されるとともに粘土で所定形状に造形され競技者が踏切板を踏切る際に該競技者の踏切足が踏切線から跳躍方向前方へ出たとき該踏切足の痕跡を得てファールとして判定可能な判定部とを有し、該判定部を、上記凹所に充填されるとともに助走路側が長手方向に沿って所定角度（θ）になるように切除された傾斜面を有した主体部と、該主体部の上部に連続し上記板本体の助走路とは反対側に延びるとともに上面が上記板本体の上面と面一に形成される所定幅（ｄ）の被覆部とを有して構成したファール判定板の当該判定部を造形するファール判定板の判定部造形装置であって、
上記板本体に被冠される被冠体を備え、該被冠体を、上記板本体の上面に接触させられる天板と、該天板にその端部側で連結され上記板本体の上記判定部が設けられる凹所側の側面に接触させられる主側板とを備えて構成し、
上記天板の内側縁と上記主側板の内側縁との間に上記判定部の傾斜面に対応し上記板本体の凹所に付着させた粘土が露出可能な貫通孔を形成し、
上記天板の主側板側の側端部面と上記主側板の上端部面を、同一平面上で上記判定部の傾斜面の所定角度（θ）に対応した傾斜角度に傾斜形成し、上記貫通孔から突出した粘土の余分部分を切除するヘラが摺接する傾斜ガイド面として構成し、上記貫通孔から突出した粘土の余分部分をヘラにより切除することにより上記判定部を造形可能にしたことを特徴とするファール判定板の判定部造形装置。
【請求項４】
上記被冠体を、上記天板の一側縁側に上記主側板を備えるとともに、該天板の他側縁側に該天板の端部側で連結され上記判定部が設けられる凹所側の側面に接触させられる別側板を備えて構成し、
上記天板の他側縁と上記別側板の内側縁との間に、上記判定部の傾斜面を含む上向きに露出する部位に対応し、上記板本体の凹所に付着させた粘土が露出可能な上記貫通孔とは異なる別の別貫通孔を形成し、
上記別側板を、その上端部面が上記板本体の上面と同位になる高さに形成し、
該別側板の上端部面を、上記別貫通孔から突出した粘土の余分部分を切除するヘラが摺接する水平ガイド面として構成し、
該別側板の上端部面及び上記板本体の上面上にヘラを摺接させて、上記別貫通孔から突出した粘土の余分部分をヘラにより切除することにより上記判定部の被覆部を含む中間品を造形可能にしたことを特徴とする請求項３記載のファール判定板の判定部造形装置。
【請求項５】
上記天板の一側縁側の裏面であって、上記判定部の被覆部に対面する全部若しくは一部を、該被覆部から離間する離間面に形成したことを特徴とする請求項３または４記載のファール判定板の判定部造形装置。
【請求項６】
上記天板を、板状の天板上部と該天板上部に連設された板状の天板下部とで形成し、該天板下部の一側縁を上記天板上部の一側縁より短手方向に退出させ、上記天板上部の一側縁側の裏面を、判定部の被覆部の全部から離間するに離間面として構成したことを特徴とする請求項５記載のファール判定板の判定部造形装置。
【請求項７】
上記板本体に被冠される上記被冠体とは別の別被冠体を備え、該別被冠体を、上記板本体の上面に接触させられる天板と、該天板にその端部側で連結され上記判定部が設けられる凹所側の側面に接触させられる別側板とを備えて構成し、
上記天板の他側縁と上記別側板の内側縁との間に、上記判定部の傾斜面を含む上向きに露出する部位に対応し、上記板本体の凹所に付着させた粘土が露出可能な上記貫通孔とは異なる別の別貫通孔を形成し、
上記別側板を、その上端部面が上記板本体の上面と同位になる高さに形成し、
該別側板の上端部面を、上記別貫通孔から突出した粘土の余分部分を切除するヘラが摺接する水平ガイド面として構成し、
該別側板の上端部面及び上記板本体の上面上にヘラを摺接させて、上記別貫通孔から突出した粘土の余分部分をヘラにより切除することにより上記判定部の被覆部を含む中間品を造形可能にしたことを特徴とする請求項３乃至６何れかに記載のファール判定板の判定部造形装置。
【請求項８】
跳躍する競技者が助走路側から踏切る踏切板の跳躍方向先端で構成される踏切線に隣接して設置され、上面，底面，一対の側面及び一対の端面を有した断面矩形状の所定長さの板の助走路側に位置させられる上縁部を長手方向に沿って切り欠いた凹所を有して形成された板本体と、該板本体の凹所にその長手方向に沿って付設されるとともに粘土で所定形状に造形され競技者が踏切板を踏切る際に該競技者の踏切足が踏切線から跳躍方向前方へ出たとき該踏切足の痕跡を得てファールとして判定可能な判定部とを有し、該判定部を、上記凹所に充填されるとともに助走路側が長手方向に沿って所定角度（θ）になるように切除された傾斜面を有した主体部と、該主体部の上部に連続して設けられるとともに上記板本体の助走路側上面を覆う所定幅（ｄ）且つ所定厚さ（ｔ）の断面矩形状の被覆部とを有して構成したファール判定板の当該判定部を造形するファール判定板の判定部造形装置であって、
上記板本体に被冠される被冠体を備え、該被冠体を、上記板本体の上面に接触させられる天板と、該天板にその端部で連結され上記判定部が設けられる凹所側の側面に接触させられる主側板とを備えて構成し、
上記天板の内側縁と上記主側板の内側縁との間に上記判定部の傾斜面に対応し上記板本体の凹所に付着させた粘土が露出可能な貫通孔を形成し、
上記天板の主側板側の側端部面と上記主側板の上端部面を、同一平面上で上記判定部の傾斜面の所定角度（θ）に対応した傾斜角度に傾斜形成し、上記貫通孔から突出した粘土の余分部分を切除するヘラが摺接する傾斜ガイド面として構成し、
上記天板及び主側板に上記傾斜面以外の部分を上記凹所とともに成形する成形部を形成し、該成形部を、上記天板の主側板側の下面に上記貫通孔に連続し上記判定部の被覆部の表面を成形する成形凹部を備えて構成し、
上記貫通孔から突出した粘土の余分部分をヘラにより切除することにより上記判定部を造形可能にしたことを特徴とするファール判定板の判定部造形装置。
【請求項９】
上記被冠体を、上記天板の一側縁側に上記主側板を備えるとともに、該天板の他側縁側に該天板の端部で連結され上記判定部が設けられる凹所側の側面に接触させられる別側板を備えて構成し、
上記天板の他側縁と上記別側板の内側縁との間に、上記判定部の傾斜面を含む上向きに露出する部位に対応し、上記板本体の凹所に付着させた粘土が露出可能な上記貫通孔とは異なる別の別貫通孔を形成し、
上記別側板を、その上端部面が上記板本体の上面と平行で且つ該上面よりも上記被覆部の所定厚さ（ｔ）分高い位置に位置するように形成し、
上記天板の上記別貫通孔を形成する他側縁側を、上記板本体の上面と平行で且つ該上面よりも上記被覆部の所定厚さ（ｔ）分高い上側平面を有するとともに上記他側縁が上記被覆部の上記板本体の上面上の長手方向側部面を成形する側部成形面として形成される成形凸部として構成し、
上記別側板及び上記成形凸部で、上記別貫通孔に露出した部分以外の部分を凹所とともに成形する成形部を形成し、
上記別側板の上端部面及び上記天板の成形凸部の上側平面で上記別貫通孔から突出した粘土の余分部分を切除するヘラが摺接する水平ガイド面として構成し、
上記別貫通孔から突出した粘土の余分部分をヘラにより切除することにより上記判定部の被覆部を含む中間品を造形可能にしたことを特徴とする請求項８記載のファール判定板の判定部造形装置。
【請求項１０】
上記天板を、板状の天板上部と該天板上部に連設された板状の天板下部とで形成し、上記天板下部の厚さを上記被覆部の所定厚さ（ｔ）に設定し、該天板下部の一側縁を上記天板上部の一側縁より短手方向に退出させるとともに該天板下部の他側縁を上記天板上部の他側縁より短手方向に突出させ、該天板下部及び天板上部の一側縁側で上記成形凹部を形成し、上記天板下部の他側縁側で上記天板の上記成形凸部を形成したことを特徴とする請求項９記載のファール判定板の判定部造形装置。
【請求項１１】
上記板本体に被冠される上記被冠体とは別の別被冠体を備え、該別被冠体を、上記板本体の上面に接触させられる天板と、該天板にその端部で連結され上記判定部が設けられる凹所側の側面に接触させられる別側板とを備えて構成し、
上記天板の他側縁と上記別側板の内側縁との間に、上記判定部の傾斜面を含む上向きに露出する部位に対応し、上記板本体の凹所に付着させた粘土が露出可能な上記貫通孔とは異なる別の別貫通孔を形成し、
上記別側板を、その上端部面が上記板本体の上面と平行で且つ該上面よりも上記被覆部の所定厚さ（ｔ）分高い位置に位置するように形成し、
上記天板の上記別貫通孔を形成する他側縁側を、上記板本体の上面と平行で且つ該上面よりも上記被覆部の所定厚さ（ｔ）分高い上側平面を有するとともに上記他側縁が上記被覆部の上記板本体の上面上の長手方向側部面を成形する側部成形面として形成される成形凸部として構成し、
上記別側板及び上記成形凸部で、上記別貫通孔に露出した部分以外の部分を凹所とともに成形する成形部を形成し、
上記別側板の上端部面及び上記天板の成形凸部の上側平面で上記別貫通孔から突出した粘土の余分部分を切除するヘラが摺接する水平ガイド面として構成し、
上記別貫通孔から突出した粘土の余分部分をヘラにより切除することにより上記判定部の被覆部を含む中間品を造形可能にしたことを特徴とする請求項８乃至１０何れかに記載のファール判定板の判定部造形装置。
【発明の詳細な説明】
【技術分野】
【０００１】
本発明は、主に、走り幅跳や三段跳等の長さの跳躍競技において、踏切板を踏切った際にファールの有無を判定するファール判定板の判定部造形装置に係り、特に、ファール判定板に設けられ競技者の踏切足が踏切線から跳躍方向前方へ出たときこれの痕跡を得る粘土で構成された判定部を所定形状に造形するためのファール判定板の判定部造形装置に関する。
【背景技術】
【０００２】
一般に、図１３に示すように、走り幅跳や三段跳等の長さの跳躍競技においては、競技者が助走路１を助走して踏切板２を踏切るが、競技者の踏切足が踏切板２の跳躍方向先端で構成される踏切線３から跳躍方向前方へ出たときはファールとなるので、その判定を行うために、踏切板２の踏切線３に隣接してファール判定板Ｆを設置している。踏切板２は、その上面を露出させてボックス状のスケール４内に収納されるとともに、ファール判定板Ｆもその上面を踏切板２よりも所定高さ高い位置で露出させスぺーサ５上に載置されてスケール４内に収納される。
【０００３】
陸上競技ルールブック２０１６（非特許文献１）の第２３１頁〜第２３２頁の日本陸上競技連盟競技規則  第４部フィールド競技  Ｂ長さの跳躍  第１８４条−水平跳躍（以下「旧規則」という）には、ファール判定板Ｆについての、規格が定められている。図１４に示すように、ファール判定板Ｆは、木あるいは他の材質の強固な板で作られ、踏切板２とは区別できる色の板本体１０（規則では「粘土板」という）と、これに付設される粘土からなる判定部２０（規則では「粘土層」という）とを有して構成されている。踏切板２は、規則では、幅２００ｍｍ±２ｍｍ、厚さが最大１００ｍｍと規定されている。
【０００４】
詳しくは、板本体１０は、例えば、グリーンに着色されたゴム製のもので、踏切板２の跳躍方向先端で構成される踏切線３に隣接して設けられ、図７（ｃ）も参照し、上面１１，底面１２，一対の側面１３及び一対の端面１４を有した断面矩形状の所定長さの板の助走路側に位置させられる上縁部を長手方向に沿って切り欠いた一対の矩形状の凹所１５を有して形成されている。規則によれば、板本体１０の幅Ｈは、Ｈ＝１００ｍｍ±２ｍｍ、長さＬ（図７）は、Ｌ＝１．２２ｍ±０．０１ｍと規定されるとともに、踏切板２の水平面から７ｍｍ±１ｍｍ盛り上がっていなければならないと規定されている。凹所１５の深さＥは、Ｅ＝７ｍｍ±１ｍｍ、凹所１５の水平面１６と板本体１０の底面１２との厚さＧは、Ｇ＝最小７ｍｍと規定されている。
【０００５】
判定部２０は、板本体１０の凹所１５にその長手方向に沿って付設されるとともに、例えばグリーンに着色された粘土で所定形状に造形され、競技者が踏切板２を踏切る際に、競技者の踏切足が踏切線３から跳躍方向前方へ出たときこの踏切足の痕跡を得てファールとして判定可能に構成されている。判定部２０は、板本体１０の凹所１５に充填されるとともに助走路側が長手方向に沿って所定角度（θ）になるように切除された傾斜面２１を有した主体部２２と、主体部２２の上部に連続して設けられるとともに板本体１０の助走路側上面１１を覆う所定幅（ｄ）且つ所定厚さ（ｔ）の断面矩形状の被覆部２３とを有して構成されている。規則では、「粘土板は、その長さに沿って１ｍｍの厚さの粘土層で覆い、助走路に近い縁で４５度の傾斜をつけるか、あるいは、粘土を埋めたときは４５度の傾斜がつくように隅を削り取る。また、粘土板上部の踏切板に近い方の端約１０ｍｍもまた全長にわたって粘土で覆う。」と規定されている。よって、θ＝４５°、ｄ＝１０ｍｍ、ｔ＝１ｍｍになるように設定される。そして、規則によれば、「粘土の層は、競技者の足跡を除去するためにローラーあるいは適当な形のヘラで平らにならす。」と規定されている。
【０００６】
また、２０１７年に規則改正が行われた。これによる陸上競技ルールブック２０１８（非特許文献２）の第２７５頁〜第２７６頁の日本陸上競技連盟競技規則  第４部フィールド競技  Ｂ長さの跳躍  第１８４条−水平跳躍（以下「新規則」という）には、ファール判定板Ｆについての、改正された規格が定められている。図１５に示すように、ファール判定板Ｆは、木あるいは他の材質の強固な板で作られ、踏切板２とは区別できる色の板本体１０（規則では「粘土板」という）と、これに付設される粘土からなる判定部２０（規則では「粘土層」という）とを有して構成されている。踏切板２は、規則では、幅２００ｍｍ±２ｍｍ、厚さが最大１００ｍｍと規定されている。
【０００７】
詳しくは、板本体１０は、例えば、グリーンに着色されたゴム製のもので、踏切板２の跳躍方向先端で構成される踏切線３に隣接して設けられ、図１（ｃ）も参照し、上面１１，底面１２，一対の側面１３及び一対の端面１４を有した断面矩形状の所定長さの板の助走路側に位置させられる上縁部を長手方向に沿って切り欠いた一対の凹所１５を有して形成されている。規則によれば、板本体１０の幅Ｈは、Ｈ＝１００ｍｍ±２ｍｍ、長さＬ（図１）は、Ｌ＝１．２２ｍ±０．０１ｍと規定されるとともに、踏切板２の水平面から７ｍｍ±１ｍｍ（踏切板２の水平面からの表面までの高さＸ）盛り上がっていなければならないと規定されている。凹所１５の水平面１６と板本体１０の底面１２との厚さＧは、Ｇ＝最小７ｍｍと規定されている。
【０００８】
判定部２０は、板本体１０の凹所１５にその長手方向に沿って付設されるとともに、例えばグリーンに着色された粘土で所定形状に造形され、競技者が踏切板２を踏切る際に、競技者の踏切足が踏切線３から跳躍方向前方へ出たときこの踏切足の痕跡を得てファールとして判定可能に構成されている。判定部２０は、板本体１０の凹所１５に充填されるとともに助走路側が長手方向に沿って所定角度（θ）になるように切除された傾斜面２１を有した主体部２２と、主体部２２の上部に連続し板本体１０の助走路とは反対側に延びるとともに上面が板本体１０の上面と面一に形成される所定幅（ｄ）の板状の被覆部２３とを有して構成されている。規則では、板本体１０の凹所１５は、主体部２２と被覆部２３とが凹所１５内に収容される形状に形成され、「粘土板は、その長さに沿って１ｍｍの厚さの粘土層で覆い、助走路に近い縁で４５度の傾斜をつけるか、あるいは、粘土を埋めたときは４５度の傾斜がつくように隅を削り取る。また、粘土板上部の踏切板に近い方の端約１０ｍｍもまた全長にわたって粘土で覆う。」と規定されている。よって、θ＝４５°、ｄ＝１０ｍｍになるように設定される。そして、規則によれば、「粘土の層は、競技者の足跡を除去するためにローラーあるいは適当な形のヘラで平らにならす。」と規定されている。
【０００９】
そして、実際の走り幅跳や三段跳等の長さの跳躍競技においては、上記の旧規則または新規則に従い、競技補助者が、手作業により予め板本体１０の凹所１５に粘土を付着させ、その後、ヘラを用いて粘土の余分部分を切除し、判定部２０の主体部２２の傾斜面２１及び被覆部２３を造形し、ファール判定板Ｆを作成している（例えば、実開平４−２５７８０号公報（特許文献１）の従来の技術の説明参照）。競技においては、競技が遅れないようにするために、ファール判定板Ｆを複数用意し、予め判定部２０を造形した予備のファール判定板Ｆを作成しておき、ファールがあった際には、速やかに適正なファール判定板Ｆと交換して用いるようにしている。
【００１０】
従来においては、ファールの判定をファール判定板Ｆの目視によらずに、センサを用いて行う技術も提案されている（例えば、上記の実開平４−２５７８０号公報（特許文献１）、特許第３６３２７０７号公報（特許文献２）等参照）。しかしながら、ファール判定板Ｆの目視による判定に勝るものがなく、ファール判定板Ｆの目視による判定が主流になっている。
【先行技術文献】
【特許文献】
【００１１】
【非特許文献１】陸上競技ルールブック２０１６（日本陸上競技連盟出版）第２３１頁〜第２３２頁
【非特許文献２】陸上競技ルールブック２０１８（日本陸上競技連盟出版）第２７５頁〜第２７６頁
【特許文献１】実開平４−２５７８０号公報
【特許文献２】特許第３６３２７０７号公報
【発明の概要】
【発明が解決しようとする課題】
【００１２】
ところで、上記のファール判定板Ｆにおいては、従来、競技補助者が、手作業により粘土を付着させ、その後、ヘラを用いて粘土の余分部分を切除し、判定部２０の主体部２２の傾斜面２１及び被覆部２３を造形しているが、ヘラによる操作が安定しないので、作業が煩雑になっており、また、長手方向に沿って不均一になり易く、規則で定めた所定形状に正確に造形しにくいという問題があった。そのため、熟練が必要になるが、熟練者であっても、バラツキが生じ易く、難しい作業になっている。
【００１３】
特に、図１６に示すように、判定部２０においてヘラで４５度になるように粘土を切除する場合には、正確さに欠ける。例えば、新規則による場合に、凹所１５の角部１５ａ，１５ｂにヘラを当てて削る場合が想定されるが、その際には、４５度にならずに、４０度程度になる。そのため、競技における判定の際、本来ファールでも、痕跡がつかない事態が生じることがあり、正確な判定ができないという問題があった。即ち、正確に４５度に形成される場合には、本来のファールの際にはシューズ先端が判定部２０の主体部２１に当接して痕跡がつくところ、４５度以下の４０度程度の場合には主体部２１にシューズ先端が当接しないで離間してしまい、痕跡が残らず、そのため、公正な判断ができないことがある。
【００１４】
本発明は上記の問題点に鑑みて為されたもので、未熟練者であっても、競技規則に則した判定部を、容易且つ正確に造形できるようにし、ファール判定の公平を図ることができるようにしたファール判定板の判定部造形装置を提供することを目的とする。
【課題を解決するための手段】
【００１５】
上記の目的を達成するための本発明のファール判定板の判定部造形装置は、跳躍する競技者が助走路側から踏切る踏切板の跳躍方向先端で構成される踏切線に隣接して設置され、断面矩形状の所定長さの板の助走路側に位置させられる上縁部を長手方向に沿って切り欠いた凹所を有して形成された板本体と、該板本体の凹所にその長手方向に沿って付設され助走路側が長手方向に沿う所定角度（θ）の傾斜面を有して粘土で所定形状に造形され競技者の踏切足が踏切線から跳躍方向前方へ出たとき該踏切足の痕跡を得てファールとして判定可能な判定部とを有したファール判定板の当該判定部を造形するファール判定板の判定部造形装置であって、
上記板本体に被冠される被冠体を備え、該被冠体に、少なくとも上記判定部の傾斜面に対応し上記板本体の凹所に付着させた粘土が露出可能な貫通孔を形成し、該被冠体の貫通孔が形成された表面周囲を該貫通孔から突出した粘土の余分部分を切除するヘラが摺接するガイド面として構成し、上記貫通孔から突出した粘土の余分部分をヘラにより切除することにより上記判定部を造形可能にした構成としている。
【００１６】
この構成により、跳躍競技の際に、ファール判定板を作成するときは、先に、板本体の凹所に粘土を付着させ、予め、粘土が踏切り板側に突出しないように成形するとともに上面を成形し、その後、判定部造形装置の被冠体を、付着させた粘土が被冠体の貫通孔から突出するように板本体に被冠させる。この状態で、ヘラをガイド面に摺接させ、貫通孔から突出した粘土の余分部分をヘラにより削り取って切除する。これにより、粘土の助走路側が長手方向に沿う所定角度（θ）の傾斜面に形成され、判定部が所定形状に造形される。この場合、被冠体を被せて、ヘラで粘土の余分部分を削り取って切除するだけで、判定部を所定形状に造形することができる。また、ヘラは、ガイド面を摺接するので、ぐらつくことがなく、判定部を長手方向に亘って均一に造形することができる。そのため、未熟練者であっても、競技規則に則した判定部を、容易且つ正確に造形することができ、競技の運営を円滑に行うことができるようになる。特に、判定部の傾斜面が所定角度（θ）に正確に形成されるので、従来のように例えば所定角度に満たない角度になって、本来ファールでも、シューズ先端の痕跡がつかない事態が生じることがなくなり、そのため、正確な判定ができるようになり、ファール判定の公平を図ることができるようになる。
【００１７】
そして、必要に応じ、上記被冠体の貫通孔を上記判定部の傾斜面に対応して形成し、上記被冠体若しくは該被冠体とは別に設けた別被冠体を用い、上記被冠体若しくは別被冠体に、上記判定部の傾斜面を含む上向きに露出する部位に対応し、上記板本体の凹所に付着させた粘土が露出可能な上記貫通孔とは異なる別の別貫通孔を形成し、該別貫通孔が形成された表面周囲を該別貫通孔から突出した粘土の余分部分を切除するヘラが摺接するガイド面として構成し、上記被冠体若しくは別被冠体に、上記別貫通孔から突出した粘土の余分部分をヘラにより切除することにより上記判定部の傾斜面以外の部分が造形された中間品を造形可能にした構成としている。
【００１８】
この構成によれば、跳躍競技の際に、ファール判定板を作成するときは、例えば、先に、判定部造形装置の被冠体若しくは別被冠体を板本体に被冠させ、その後、別貫通孔から板本体の凹所に粘土を付着させるとともに、粘土が別貫通孔から突出するようにする。この状態で、ヘラをガイド面に摺接させ、別貫通孔から突出した粘土の余分部分をヘラにより削り取って切除する。これにより、判定部の傾斜面以外の部分が造形された中間品が造形される。次に、判定部造形装置の被冠体を、中間品の粘土が被冠体の貫通孔から突出するように板本体に被冠させる。この状態で、ヘラをガイド面に摺接させ、貫通孔から突出した粘土の余分部分をヘラにより削り取って切除する。これにより、粘土の助走路側が長手方向に沿う所定角度（θ）の傾斜面に形成され、判定部が所定形状に造形される。この場合、予め判定部の傾斜面以外の部分が造形された中間品を造形し、それから、判定部の傾斜面を切除して造形するので、２段階で判定部を造形することから、一時に造形する場合に比較して、判定部を、より一層正確に造形することができる。
【００１９】
より具体的には、本発明を、先ず「新規則」に対応させた構成とすることができる。即ち、この構成は、跳躍する競技者が助走路側から踏切る踏切板の跳躍方向先端で構成される踏切線に隣接して設置され、上面，底面，一対の側面及び一対の端面を有した断面矩形状の所定長さの板の助走路側に位置させられる上縁部を長手方向に沿って切り欠いた凹所を有して形成された板本体と、該板本体の凹所にその長手方向に沿って付設されるとともに粘土で所定形状に造形され競技者が踏切板を踏切る際に該競技者の踏切足が踏切線から跳躍方向前方へ出たとき該踏切足の痕跡を得てファールとして判定可能な判定部とを有し、該判定部を、上記凹所に充填されるとともに助走路側が長手方向に沿って所定角度（θ）になるように切除された傾斜面を有した主体部と、該主体部の上部に連続し上記板本体の助走路とは反対側に延びるとともに上面が上記板本体の上面と面一に形成される所定幅（ｄ）の被覆部とを有して構成したファール判定板の当該判定部を造形するファール判定板の判定部造形装置であって、
上記板本体に被冠される被冠体を備え、該被冠体を、上記板本体の上面に接触させられる天板と、該天板にその端部側で連結され上記板本体の上記判定部が設けられる凹所側の側面に接触させられる主側板とを備えて構成し、
上記天板の内側縁と上記主側板の内側縁との間に上記判定部の傾斜面に対応し上記板本体の凹所に付着させた粘土が露出可能な貫通孔を形成し、
上記天板の主側板側の側端部面と上記主側板の上端部面を、同一平面上で上記判定部の傾斜面の所定角度（θ）に対応した傾斜角度に傾斜形成し、上記貫通孔から突出した粘土の余分部分を切除するヘラが摺接する傾斜ガイド面として構成し、上記貫通孔から突出した粘土の余分部分をヘラにより切除することにより上記判定部を造形可能にした構成としている。
【００２０】
この構成により、跳躍競技の際に、ファール判定板を作成するときは、先に、板本体の凹所に粘土を付着させ、予め、粘土が踏切り板側に突出しないように成形するとともに上面を成形し、その後、判定部造形装置の被冠体を、付着させた粘土が被冠体の貫通孔から突出するように板本体に被冠させる。この状態で、ヘラを傾斜ガイド面に摺接させ、貫通孔から突出した粘土の余分部分をヘラにより削り取って切除する。これにより、粘土の助走路側が長手方向に沿う所定角度（θ）の傾斜面に形成され、判定部が所定形状に造形される。この場合、被冠体を被せて、ヘラで粘土の余分部分を削り取って切除するだけで、判定部を所定形状に造形することができる。また、ヘラは、ガイド面を摺接するので、ぐらつくことがなく、判定部を長手方向に亘って均一に造形することができる。そのため、未熟練者であっても、競技規則に則した判定部を、容易且つ正確に造形することができ、競技の運営を円滑に行うことができるようになる。特に、判定部の傾斜面が所定角度（θ）に正確に形成されるので、従来のように例えば所定角度に満たない角度になって、本来ファールでも、シューズ先端の痕跡がつかない事態が生じることがなくなり、そのため、正確な判定ができるようになり、ファール判定の公平を図ることができるようになる。
【００２１】
そして、必要に応じ、上記被冠体を、上記天板の一側縁側に上記主側板を備えるとともに、該天板の他側縁側に該天板の端部側で連結され上記判定部が設けられる凹所側の側面に接触させられる別側板を備えて構成し、
上記天板の他側縁と上記別側板の内側縁との間に、上記判定部の傾斜面を含む上向きに露出する部位に対応し、上記板本体の凹所に付着させた粘土が露出可能な上記貫通孔とは異なる別の別貫通孔を形成し、
上記別側板を、その上端部面が上記板本体の上面と同位になる高さに形成し、
該別側板の上端部面を、上記別貫通孔から突出した粘土の余分部分を切除するヘラが摺接する水平ガイド面として構成し、
該別側板の上端部面及び上記板本体の上面上にヘラを摺接させて、上記別貫通孔から突出した粘土の余分部分をヘラにより切除することにより上記判定部の被覆部を含む中間品を造形可能にした構成としている。
【００２２】
この構成によれば、跳躍競技の際に、ファール判定板を作成するときは、先に、判定部造形装置の被冠体を板本体に被冠させ、その後、別貫通孔から板本体の凹所に粘土を付着させるとともに、粘土が被冠体の別貫通孔から突出するようにする。あるいはまた、先に、板本体の凹所に粘土を付着させ、予め、粘土が踏切り板側に突出しないようにヘラで切除するなどして成形し、それから、判定部造形装置の被冠体を板本体に被冠させ、粘土が被冠体の別貫通孔から突出するようにする。この状態で、別貫通孔から突出した粘土の余分部分をヘラにより削り取って切除する。これにより、判定部の傾斜面以外の部分が造形された中間品が造形される。次に、判定部造形装置の被冠体を、板本体から取外して、反転させ、今度は、付着させた中間品の粘土が被冠体の貫通孔から突出するように板本体に被冠させる。この状態で、貫通孔から突出した中間品の粘土の余分部分をヘラにより削り取って切除する。これにより、判定部の傾斜面が造形され、判定部が所定形状に造形される。この場合、予め判定部の傾斜面以外の部分が造形された中間品を造形し、それから、判定部の傾斜面を切除して造形するので、２段階で判定部を造形することから、一時に造形する場合に比較して、判定部を、より一層正確に造形することができる。また、貫通孔と別貫通孔とを１つの被冠体に設けたので、別に設ける場合に比較して、判定部造形装置を簡略に形成することができる。
【００２３】
また、必要に応じ、上記天板の一側縁側の裏面であって、上記判定部の被覆部に対面する全部若しくは一部を、該被覆部から離間する離間面に形成したことが有効である。判定部の被覆部に対面する部位に離間面を設けたので、離間面は被覆部に当接しないことから、被冠体を板本体から外す際に、粘土がくっついて剥がされたり変形したりする事態を抑止することができ、より一層正確に造形することができる。
【００２４】
この場合、上記天板を、板状の天板上部と該天板上部に連設された板状の天板下部とで形成し、該天板下部の一側縁を上記天板上部の一側縁より短手方向に退出させ、上記天板上部の一側縁側の裏面を、判定部の被覆部の全部から離間するに離間面として構成したことが有効である。離間面が判定部の被覆部の全部から離間するので、被冠体を板本体から外す際に、粘土がくっついて剥がされたり変形したりする事態を確実に抑止することができる。
【００２５】
更に、必要に応じ、上記の別貫通孔を上記被冠体とは別の別被冠体に形成することができる。即ち、上記板本体に被冠される上記被冠体とは別の別被冠体を備え、該別被冠体を、上記板本体の上面に接触させられる天板と、該天板にその端部側で連結され上記判定部が設けられる凹所側の側面に接触させられる別側板とを備えて構成し、
上記天板の他側縁と上記別側板の内側縁との間に、上記判定部の傾斜面を含む上向きに露出する部位に対応し、上記板本体の凹所に付着させた粘土が露出可能な上記貫通孔とは異なる別の別貫通孔を形成し、
上記別側板を、その上端部面が上記板本体の上面と同位になる高さに形成し、
該別側板の上端部面を、上記別貫通孔から突出した粘土の余分部分を切除するヘラが摺接する水平ガイド面として構成し、
該別側板の上端部面及び上記板本体の上面上にヘラを摺接させて、上記別貫通孔から突出した粘土の余分部分をヘラにより切除することにより上記判定部の被覆部を含む中間品を造形可能にした構成とすることができる。
【００２６】
また、本発明を、「旧規則」に対応させた構成とすることができる。新規則のファール判定板に移行してこれが定着するまでは、旧規則のファール判定板の使用もありうるので、この場合に有効になる。即ち、この構成は、跳躍する競技者が助走路側から踏切る踏切板の跳躍方向先端で構成される踏切線に隣接して設置され、上面，底面，一対の側面及び一対の端面を有した断面矩形状の所定長さの板の助走路側に位置させられる上縁部を長手方向に沿って切り欠いた凹所を有して形成された板本体と、該板本体の凹所にその長手方向に沿って付設されるとともに粘土で所定形状に造形され競技者が踏切板を踏切る際に該競技者の踏切足が踏切線から跳躍方向前方へ出たとき該踏切足の痕跡を得てファールとして判定可能な判定部とを有し、該判定部を、上記凹所に充填されるとともに助走路側が長手方向に沿って所定角度（θ）になるように切除された傾斜面を有した主体部と、該主体部の上部に連続して設けられるとともに上記板本体の助走路側上面を覆う所定幅（ｄ）且つ所定厚さ（ｔ）の断面矩形状の被覆部とを有して構成したファール判定板の当該判定部を造形するファール判定板の判定部造形装置であって、
上記板本体に被冠される被冠体を備え、該被冠体を、上記板本体の上面に接触させられる天板と、該天板にその端部で連結され上記判定部が設けられる凹所側の側面に接触させられる主側板とを備えて構成し、
上記天板の内側縁と上記主側板の内側縁との間に上記判定部の傾斜面に対応し上記板本体の凹所に付着させた粘土が露出可能な貫通孔を形成し、
上記天板の主側板側の側端部面と上記主側板の上端部面を、同一平面上で上記判定部の傾斜面の所定角度（θ）に対応した傾斜角度に傾斜形成し、上記貫通孔から突出した粘土の余分部分を切除するヘラが摺接する傾斜ガイド面として構成し、
上記天板及び主側板に上記傾斜面以外の部分を上記凹所とともに成形する成形部を形成し、該成形部を、上記天板の主側板側の下面に上記貫通孔に連続し上記判定部の被覆部の表面を成形する成形凹部を備えて構成し、
上記貫通孔から突出した粘土の余分部分をヘラにより切除することにより上記判定部を造形可能にした構成としている。
【００２７】
この構成により、跳躍競技の際に、ファール判定板を作成するときは、先に、板本体の凹所に粘土を付着させ、その後、判定部造形装置の被冠体を、付着させた粘土が被冠体の貫通孔から突出するように板本体に被冠させる。
この状態で、貫通孔から突出した粘土の余分部分をヘラにより削り取って切除する。これにより、判定部が所定形状に造形される。この場合、被冠体を被せて、ヘラで粘土の余分部分を削り取って切除するだけで、判定部を所定形状に造形することができる。また、ヘラは、ガイド面を摺接するので、ぐらつくことがなく、判定部を長手方向に亘って均一に造形することができる。そのため、被冠体の成形部及び貫通孔の形状と大きさを競技規則に規定された寸法のとおりに作成しておけば、未熟練者であっても、競技規則に則した判定部を、容易且つ正確に造形することができ、競技の運営を円滑に行うことができるようになる。
【００２８】
そして、必要に応じ、上記被冠体を、上記天板の一側縁側に上記主側板を備えるとともに、該天板の他側縁側に該天板の端部で連結され上記判定部が設けられる凹所側の側面に接触させられる別側板を備えて構成し、
上記天板の他側縁と上記別側板の内側縁との間に、上記判定部の傾斜面を含む上向きに露出する部位に対応し、上記板本体の凹所に付着させた粘土が露出可能な上記貫通孔とは異なる別の別貫通孔を形成し、
上記別側板を、その上端部面が上記板本体の上面と平行で且つ該上面よりも上記被覆部の所定厚さ（ｔ）分高い位置に位置するように形成し、
上記天板の上記別貫通孔を形成する他側縁側を、上記板本体の上面と平行で且つ該上面よりも上記被覆部の所定厚さ（ｔ）分高い上側平面を有するとともに上記他側縁が上記被覆部の上記板本体の上面上の長手方向側部面を成形する側部成形面として形成される成形凸部として構成し、
上記別側板及び上記成形凸部で、上記別貫通孔に露出した部分以外の部分を凹所とともに成形する成形部を形成し、
上記別側板の上端部面及び上記天板の成形凸部の上側平面で上記別貫通孔から突出した粘土の余分部分を切除するヘラが摺接する水平ガイド面として構成し、
上記別貫通孔から突出した粘土の余分部分をヘラにより切除することにより上記判定部の被覆部を含む中間品を造形可能にした構成としている。
【００２９】
この構成によれば、跳躍競技の際に、ファール判定板を作成するときは、先に、判定部造形装置の被冠体を板本体に被冠させ、その後、別貫通孔から板本体の凹所に粘土を付着させるとともに、粘土が被冠体の別貫通孔から突出するようにする。この状態で、別貫通孔から突出した粘土の余分部分をヘラにより削り取って切除する。これにより、判定部の傾斜面以外の部分が造形された中間品が造形される。次に、判定部造形装置の被冠体を、板本体から取外して、反転させ、今度は、付着させた中間品の粘土が被冠体の貫通孔から突出するように板本体に被冠させる。この状態で、貫通孔から突出した中間品の粘土の余分部分をヘラにより削り取って切除する。これにより、判定部の傾斜面が造形され、判定部が所定形状に造形される。この場合、予め判定部の傾斜面以外の部分が造形された中間品を造形し、それから、判定部の傾斜面を切除して造形するので、２段階で判定部を造形することから、一時に造形する場合に比較して、判定部を、より一層正確に造形することができる。また、貫通孔と別貫通孔とを１つの被冠体に設けたので、別に設ける場合に比較して、判定部造形装置を簡略に形成することができる。
【００３０】
この場合、上記天板を、板状の天板上部と該天板上部に連設された板状の天板下部とで形成し、上記天板下部の厚さを上記被覆部の所定厚さ（ｔ）に設定し、該天板下部の一側縁を上記天板上部の一側縁より短手方向に退出させるとともに該天板下部の他側縁を上記天板上部の他側縁より短手方向に突出させ、該天板下部及び天板上部の一側縁側で上記成形凹部を形成し、上記天板下部の他側縁側で上記天板の上記成形凸部を形成したことが有効である。成形凹部と成形凸部とを容易に作製することができる。
【００３１】
また、必要に応じ、上記の別貫通孔を上記被冠体とは別の別被冠体に形成することができる。即ち、上記板本体に被冠される上記被冠体とは別の別被冠体を備え、該別被冠体を、上記板本体の上面に接触させられる天板と、該天板にその端部で連結され上記判定部が設けられる凹所側の側面に接触させられる別側板とを備えて構成し、
上記天板の他側縁と上記別側板の内側縁との間に、上記判定部の傾斜面を含む上向きに露出する部位に対応し、上記板本体の凹所に付着させた粘土が露出可能な上記貫通孔とは異なる別の別貫通孔を形成し、
上記別側板を、その上端部面が上記板本体の上面と平行で且つ該上面よりも上記被覆部の所定厚さ（ｔ）分高い位置に位置するように形成し、
上記天板の上記別貫通孔を形成する他側縁側を、上記板本体の上面と平行で且つ該上面よりも上記被覆部の所定厚さ（ｔ）分高い上側平面を有するとともに上記他側縁が上記被覆部の上記板本体の上面上の長手方向側部面を成形する側部成形面として形成される成形凸部として構成し、
上記別側板及び上記成形凸部で、上記別貫通孔に露出した部分以外の部分を凹所とともに成形する成形部を形成し、
上記別側板の上端部面及び上記天板の成形凸部の上側平面で上記別貫通孔から突出した粘土の余分部分を切除するヘラが摺接する水平ガイド面として構成し、
上記別貫通孔から突出した粘土の余分部分をヘラにより切除することにより上記判定部の被覆部を含む中間品を造形可能にした構成とすることができる。
【発明の効果】
【００３２】
本発明によれば、被冠体を板本体に被せて、ヘラで粘土の余分部分を削り取って切除すれば、粘土の助走路側が長手方向に沿う所定角度（θ）の傾斜面に形成され、判定部が所定形状に造形される。この場合、被冠体を被せて、ヘラで粘土の余分部分を削り取って切除するだけで、判定部を所定形状に造形することができる。また、ヘラは、ガイド面を摺接するので、ぐらつくことがなく、判定部を長手方向に亘って均一に造形することができる。そのため、未熟練者であっても、競技規則に則した判定部を、容易且つ正確に造形することができ、競技の運営を円滑に行うことができるようになる。特に、判定部の傾斜面が所定角度（θ）に正確に形成されるので、従来のように例えば所定角度に満たない角度になって、本来ファールでも、シューズ先端の痕跡がつかない事態が生じることがなくなり、そのため、正確な判定ができるようになり、ファール判定の公平を図ることができるようになる。
【図面の簡単な説明】
【００３３】
【図１】本発明の実施の形態に係るファール判定板の判定部造形装置をファール判定板の板本体との関係で示し、（ａ）は判定部造形装置を上から見た斜視図、（ｂ）は判定部造形装置を下から見た斜視図、（ｃ）は板本体の上から見た斜視図である。
【図２】本発明の実施の形態に係るファール判定板の判定部造形装置をファール判定板の板本体及び判定部との関係で示す側面断面図である。
【図３】本発明の実施の形態に係るファール判定板の判定部造形装置をファール判定板の板本体及び判定部の中間品との関係で示す側面断面図である。
【図４】本発明の実施の形態に係るファール判定板の判定部造形装置を用いてファール判定板の判定部を造形する工程を示す工程図である。
【図５】本発明の別の実施の形態に係るファール判定板の判定部造形装置を示し、（ａ）は一方の被冠体をファール判定板の板本体及び判定部との関係で示す側面断面図、（ｂ）は他方の別被冠体をファール判定板の板本体及び判定部の中間品との関係で示す側面断面図である。
【図６】本発明のまた別の実施の形態に係るファール判定板の判定部造形装置をファール判定板の板本体及び判定部との関係で示す側面断面図である。
【図７】本発明の他の実施の形態に係るファール判定板の判定部造形装置をファール判定板の板本体との関係で示し、（ａ）は判定部造形装置を上から見た斜視図、（ｂ）は判定部造形装置を下から見た斜視図、（ｃ）は板本体の上から見た斜視図である。
【図８】本発明の他の実施の形態に係るファール判定板の判定部造形装置をファール判定板の板本体及び判定部との関係で示す側面断面図である。
【図９】本発明の他の実施の形態に係るファール判定板の判定部造形装置をファール判定板の板本体及び判定部の中間品との関係で示す側面断面図である。
【図１０】本発明の他の実施の形態に係るファール判定板の判定部造形装置を用いてファール判定板の判定部を造形する工程を示す工程図である。
【図１１】本発明のまた他の実施の形態に係るファール判定板の判定部造形装置を示し、（ａ）は一方の被冠体をファール判定板の板本体及び判定部との関係で示す側面断面図、（ｂ）は他方の別被冠体をファール判定板の板本体及び判定部の中間品との関係で示す側面断面図である。
【図１２】本発明の更にまた他の実施の形態に係るファール判定板の判定部造形装置をファール判定板の板本体及び判定部との関係で示す側面断面図である。
【図１３】ファール判定板の設置状態の一例を示す断面図である。
【図１４】日本陸上競技連盟競技規則（陸上競技ルールブック２０１６）で定められたファール判定板を説明するための図である。
【図１５】日本陸上競技連盟競技規則（陸上競技ルールブック２０１８）で定められたファール判定板を説明するための図である。
【図１６】ファール判定板の判定部の造形をヘラのみで行った場合の不具合を示す図である。
【発明を実施するための形態】
【００３４】
以下、添付図面に基づいて本発明の実施の形態に係るファール判定板の判定部造形装置について詳細に説明する。実施の形態に係るファール判定板の判定部造形装置は、図１３を用いて上述したように、走り幅跳や三段跳等の長さの跳躍競技において、競技者が助走路１を助走して踏切板２を踏切るが、競技者の踏切足が踏切板２の跳躍方向先端で構成される踏切線３から跳躍方向前方へ出たときはファールとなるので、その判定を行うためのものである。
【００３５】
図１乃至図４に示すように、実施の形態に係る判定部造形装置Ｓは、新規則に係るファール判定板Ｆに対応して構成されている。新規則に係るファール判定板Ｆは、図１５に示すように構成され、上述もしたので、その詳細は省略するが、板本体１０と、これに付設される粘土からなる判定部２０とを有して構成されている。板本体１０は、例えば、グリーンに着色されたゴム製のもので、踏切板２の跳躍方向先端で構成される踏切線３に隣接して設けられ、上面１１，底面１２，一対の側面１３及び一対の端面１４を有した断面矩形状の所定長さの板の助走路１側に位置させられる左右の上縁部を夫々長手方向に沿って切り欠いた一対の凹所１５を有して形成されている。新規則においては、凹所１５は、この凹所１５内に判定部２０が収容されるように形成されている。一対の凹所１５は、何れかが選択して用いられる。
【００３６】
判定部２０は、板本体１０の凹所１５にその長手方向に沿って付設されるとともに、例えばグリーンに着色された粘土で所定形状に造形され、競技者が踏切板２を踏切る際に、競技者の踏切足が踏切線３から跳躍方向前方へ出たときこの踏切足の痕跡を得てファールとして判定可能に構成されている。判定部２０は、板本体１０の凹所１５に充填されるとともに助走路１側が長手方向に沿って所定角度（θ）になるように切除された傾斜面２１を有した主体部２２と、主体部２２の上部に連続し板本体１０の助走路とは反対側に延びるとともに上面が板本体１０の上面１１と面一に形成される所定幅（ｄ）の被覆部２３とを有して構成されている。
【００３７】
実施の形態に係る判定部造形装置Ｓは、板本体１０に被冠される被冠体３０を備えている。被冠体３０は、板本体１０の上面に接触させられる天板３１と、天板３１の一側縁３１ａ側に設けられ天板３１にその両端部で板本体１０の両端面に対応する一対の端部板３２を介して連結され、判定部２０が設けられる凹所１５側の側面１３に接触させられる主側板３３とを備えて構成されている。
【００３８】
天板３１の一側縁３１ａ（内側縁）と主側板３３の内側縁３３ａとの間には、判定部２０の傾斜面２１に対応し板本体１０の凹所１５に付着させた粘土が露出可能な貫通孔３４が形成されている。天板３１の主側板３３側の側端部面３１ｂと主側板３３の上端部面３３ｂは、同一平面上で判定部２０の傾斜面２１の所定角度（θ）に対応した傾斜角度θに傾斜形成されており、貫通孔３４から突出した粘土の余分部分を削り取って切除するヘラＫが摺接する傾斜ガイド面３５として構成されている。ヘラＫの粘土を削り取る刃は直線状に形成されている。これにより、貫通孔３４から突出した粘土の余分部分をヘラＫにより切除することにより判定部２０を造形可能にしてある。
【００３９】
また、実施の形態に係る判定部造形装置Ｓにおいては、被冠体３０は、判定部２０が設けられる凹所１５側の側面１３に接触させられる別側板４０を備えている、別側板４０は、天板３１の他側縁３１ｃ側に設けられ天板３１にその両端部で板本体１０の両端面に対応する一対の端部板３２を介して連結されている。天板３１の他側縁３１ｃと別側板４０の内側縁４０ａとの間には、判定部２０の傾斜面２１を含む上向きに露出する部位に対応し、板本体１０の凹所１５に付着させた粘土が露出可能な上記の貫通孔３４とは異なる別の別貫通孔４１が形成されている。
【００４０】
別側板４０は、その上端部面４０ｂが板本体１０の上面１１と同位になる高さに形成されている。一方、天板３１の別貫通孔４１を形成する他側縁３１ｃ側は、板本体１０の上面１１を露出させる位置に設けられている。そして、別側板４０の上端部面４０ｂは、別貫通孔４１から突出した粘土の余分部分を切除するヘラＫが摺接する水平ガイド面４４として構成されている。この場合、ヘラＫは、水平ガイド面４４及び板本体１０の上面１１を摺接する。これにより、別貫通孔４１から突出した粘土の余分部分をヘラＫにより切除することにより、判定部２０の被覆部２３を含む中間品５０を造形可能にしている。
【００４１】
また、天板３１の一側縁３１ａ側の裏面であって、判定部２０の被覆部２３に対面する全部若しくは一部（実施の形態では全部）は、被覆部２３から離間する離間面５３に形成されている。即ち、天板３１は、板状の天板上部５１と天板上部５１に連設された板状の天板下部５２とで形成されており、天板下部５２の一側縁は、天板上部５１の一側縁より短手方向に退出させられ、天板下部５２の他側縁は、天板上部５１の他側縁の位置に位置させられている。これにより、天板上部５１の一側縁側の裏面は、判定部２０の被覆部２３の全部から離間する離間面５３として構成されている。天板下部５２は、金属板で形成され、他は木製である。材質はこれに限定されるものではなく、例えば、プラスチックを用いて形成する等適宜変更して差支えない。実施の形態では、貫通孔３４と別貫通孔４１とを１つの被冠体３０に設けたので、別に設ける場合に比較して、判定部造形装置Ｓを簡略に形成することができる。
【００４２】
従って、跳躍競技の際に、実施の形態に係る判定部造形装置Ｓを用いてファール判定板Ｆを作成するときは、以下のようにする。図４に示す工程図を用い、先ず、図４（ａ）に示すように、板本体１０の凹所１５に粘土を付着させ、図４（ｂ）に示すように、予め、板本体１０の側面１３にヘラＫを摺接させて、粘土が踏切り板２側に突出しないように粘土を切除する。それから、図４（ｃ）に示すように、判定部造形装置Ｓの被冠体３０を板本体１０に被冠させ、粘土が被冠体３０の別貫通孔４１から突出するようにする。尚、先に、判定部造形装置Ｓの被冠体３０を板本体１０に被冠させ、その後、別貫通孔４１から板本体１０の凹所１５に粘土を付着させるようにしても良い。
【００４３】
この状態で、図４（ｃ）に示すように、ヘラＫを、水平ガイド面４４及び板本体１０の上面１１に摺接させ、別貫通孔４１から突出した粘土の余分部分をヘラＫにより削り取って切除する。これにより、図４（ｄ）に示すように、判定部２０の傾斜面２１以外の部分が造形された中間品５０が造形される。この場合、被冠体３０を被せて、ヘラＫで粘土の余分部分を削り取って切除するだけで、中間品５０を所定形状に造形することができる。また、ヘラＫは、水平ガイド面４４及び板本体１０の上面１１を摺接するので、ぐらつくことがなく、中間品５０を長手方向に亘って均一に造形することができる。
【００４４】
次に、図４（ｅ）に示すように、判定部造形装置Ｓの被冠体３０を、板本体１０から取外して、反転させ、今度は、付着させた中間品５０の粘土が被冠体３０の貫通孔３４から突出するように板本体１０に被冠させる。この状態で、図４（ｅ）に示すように、ヘラＫを傾斜ガイド面３５に摺接させ、貫通孔３４から突出した中間品５０の粘土の余分部分をヘラＫにより削り取って切除する。その後、判定部造形装置Ｓの被冠体３０を、板本体１０から取外す。この場合、離間面５３が判定部２０の被覆部２３の全部から離間しているので、粘土がくっついて剥がされたり変形したりする事態を確実に抑止することができる。これにより、図４（ｆ）に示すように、判定部２０の傾斜面２１が造形され、判定部２０が所定形状に造形され、ファール判定板Ｆが完成する。
【００４５】
この場合、被冠体３０を被せて、ヘラＫで粘土の余分部分を削り取って切除するだけで、判定部２０を所定形状に造形することができる。また、ヘラＫは、傾斜ガイド面３５を摺接するので、ぐらつくことがなく、判定部２０を長手方向に亘って均一に造形することができる。そのため、被冠体３０の形状と大きさを競技規則に規定された寸法に合わせて作成しておけば、未熟練者であっても、競技規則に則した判定部２０を、容易且つ正確に造形することができる。
【００４６】
また、この場合、予め判定部２０の傾斜面２１以外の部分が造形された中間品５０を造形し、それから、判定部２０の傾斜面２１を切除して造形するので、２段階で判定部２０を造形することから、一時に造形する場合に比較して、判定部２０を、より一層正確に造形することができる。また、貫通孔３４と別貫通孔４１とを１つの被冠体３０に設けたので、別に設ける場合に比較して、判定部造形装置Ｓを簡略に形成することができる。
【００４７】
この結果、ファール判定板Ｆの使用に際しては、判定部２０の傾斜面２１が所定角度（θ=４５度）に正確に形成されるので、従来のように例えば所定角度に満たない角度（例えば図１６に示す４０度程度）になって、本来ファールでも、シューズ先端の痕跡がつかない事態が生じること（図１６参照）がなくなり、そのため、正確な判定ができるようになり、ファール判定の公平を図ることができるようになる。
【００４８】
図５には、別の実施の形態に係る判定部造形装置Ｓを示している。これは、上記実施の形態では、別貫通孔４１を貫通孔３４とともに被冠体３０に設けたが、別貫通孔４１を被冠体３０とは別の別被冠体６０に形成し、判定部造形装置Ｓを、被冠体３０と別被冠体６０とで構成し、被冠体３０と別被冠体６０とを個別に用いるようにしたものである。
【００４９】
図６には、また別の実施の形態に係る判定部造形装置Ｓを示している。これは、板本体１０に被冠される被冠体３０を備えている。被冠体３０は、天板３１と、天板３１の一側縁３１ａ側に設けられ天板３１に一対の端部板を介して連結され判定部２０が設けられる凹所１５側の側面に接触させられる主側板３３とを備えて構成されている。天板３１の一側縁３１ａと主側板３３の内側縁３３ａとの間には、判定部２０の傾斜面２１を含む上向きに露出する部位に対応し、板本体１０の凹所１５に付着させた粘土が露出可能な貫通孔６１が形成されている。
【００５０】
主側板３３の上端部面３３ｂは判定部２０の傾斜面２１の所定角度（θ）に対応した傾斜角度θに傾斜形成されており、貫通孔６１から突出した粘土の余分部分を切除するヘラＫが摺接する傾斜ガイド面６２として構成されている。一方、天板３１の貫通孔６１を形成する一側縁３１ａ側は、板本体１０の上面を露出させる位置に位置させられている。そして、ヘラＫを、判定部２０の傾斜面２１に沿うとともに傾斜ガイド面６２を摺接する傾斜刃Ｋａと、この傾斜刃Ｋａに連続し板本体１０の上面を摺接する水平刃Ｋｂとを備えて構成している。
【００５１】
従って、跳躍競技の際に、この別の実施の形態に係る判定部造形装置Ｓを用いてファール判定板Ｆを作成するときは、判定部造形装置Ｓの被冠体３０を板本体１０に被冠させ、その後、貫通孔６１から板本体１０の凹所１５に粘土を付着させるとともに、粘土が被冠体３０の貫通孔６１から突出するようにする。この状態で、貫通孔６１から突出した粘土の余分部分をヘラＫにより削り取って切除する。これにより、判定部２０の傾斜面２１と被覆部２３の上面が一時に造形されるとともに、貫通孔３４に露出した部分以外の部分が凹所１５とともに一時に成形される。
【００５２】
次に、本発明の他の実施の形態に係るファール判定板の判定部造形装置Ｓについて詳細に説明する。この判定部造形装置Ｓは、旧規則に係るファール判定板Ｆに対応したものである。
ファール判定板Ｆは、図１４に示すように構成され、上述もしたので、その詳細は省略するが、板本体１０と、これに付設される粘土からなる判定部２０とを有して構成されている。板本体１０は、例えば、グリーンに着色されたゴム製のもので、踏切板２の跳躍方向先端で構成される踏切線３に隣接して設けられ、上面１１，底面１２，一対の側面１３及び一対の端面１４を有した断面矩形状の所定長さの板の助走路１側に位置させられる左右の上縁部を夫々長手方向に沿って切り欠いた矩形状の一対の凹所１５を有して形成されている。一対の凹所１５は、何れかが選択して用いられる。
【００５３】
判定部２０は、板本体１０の凹所１５にその長手方向に沿って付設されるとともに、例えばグリーンに着色された粘土で所定形状に造形され、競技者が踏切板２を踏切る際に、競技者の踏切足が踏切線３から跳躍方向前方へ出たときこの踏切足の痕跡を得てファールとして判定可能に構成されている。判定部２０は、板本体１０の凹所１５に充填されるとともに助走路１側が長手方向に沿って所定角度（θ）になるように切除された傾斜面２１を有した主体部２２と、主体部２２の上部に連続して設けられるとともに板本体１０の助走路１側上面を覆う所定幅（ｄ）且つ所定厚さ（ｔ）の断面矩形状の被覆部２３とを有して構成されている。
【００５４】
図７乃至図１０に示すように、他の実施の形態に係る判定部造形装置Ｓは、板本体１０に被冠される被冠体３０を備えている。被冠体３０は、板本体１０の上面に接触させられる天板３１と、天板３１の一側縁３１ａ側に設けられ天板３１にその両端部で板本体１０の両端面に対応する一対の端部板３２を介して連結され、判定部２０が設けられる凹所１５側の側面１３に接触させられる主側板３３とを備えて構成されている。
【００５５】
天板３１の一側縁３１ａ（内側縁）と主側板３３の内側縁３３ａとの間には、判定部２０の傾斜面２１に対応し板本体１０の凹所１５に付着させた粘土が露出可能な貫通孔３４が形成されている。天板３１の主側板３３側の側端部面３１ｂと主側板３３の上端部面３３ｂは、同一平面上で判定部２０の傾斜面２１の所定角度（θ）に対応した傾斜角度θに傾斜形成されており、貫通孔３４から突出した粘土の余分部分を削り取って切除するヘラＫが摺接する傾斜ガイド面３５として構成されている。ヘラＫの粘土を削り取る刃は直線状に形成されている。
【００５６】
天板３１及び主側板３３には、傾斜面２１以外の部分を凹所１５とともに成形する成形部３６が形成されている。成形部３６は、天板３１の主側板３３側の下面に貫通孔３４に連続し判定部２０の被覆部２３の表面を成形する成形凹部３７を備えて構成されている。これにより、貫通孔３４から突出した粘土の余分部分をヘラＫにより切除することにより判定部２０を造形可能にしてある。
【００５７】
また、実施の形態に係る判定部造形装置Ｓにおいては、被冠体３０は、判定部２０が設けられる凹所１５側の側面１３に接触させられる別側板４０を備えている、別側板４０は、天板３１の他側縁３１ｃ側に設けられ天板３１にその両端部で板本体１０の両端面に対応する一対の端部板３２を介して連結されている。天板３１の他側縁３１ｃと別側板４０の内側縁４０ａとの間には、判定部２０の傾斜面２１を含む上向きに露出する部位に対応し、板本体１０の凹所１５に付着させた粘土が露出可能な上記の貫通孔３４とは異なる別の別貫通孔４１が形成されている。
【００５８】
別側板４０は、その上端部面４０ｂが板本体１０の上面１１と平行で且つ該上面よりも被覆部２３の所定厚さ（ｔ）分高い位置に位置するように形成されている。一方、天板３１の別貫通孔４１を形成する他側縁３１ｃ側は、板本体１０の上面１１と平行で且つ該上面１１よりも被覆部２３の所定厚さ（ｔ）分高い上側平面４２ａを有するとともに、他側縁３１ｃが被覆部２３の板本体１０の上面上の長手方向側部面２３ａを成形する側部成形面４３として形成される成形凸部４２として構成されている。この成形凸部４２及び別側板４０の内側面とで、別貫通孔４１に露出した部分以外の部分を凹所１５とともに成形する成形部４５が形成されている。そして、別側板４０の上端部面４０ｂ及び天板３１の成形凸部４２の上側平面４２ａは、別貫通孔４１から突出した粘土の余分部分を切除するヘラＫが摺接する水平ガイド面４４として構成されている。これにより、別貫通孔４１から突出した粘土の余分部分をヘラＫにより切除することにより、判定部２０の被覆部２３を含む中間品５０を造形可能にしている。
【００５９】
また、天板３１は、板状の天板上部５１と天板上部５１に連設された板状の天板下部５２とで形成されており、天板下部５２の厚さは、被覆部２３の所定厚さ（ｔ）に設定されている。天板下部５２の一側縁は、天板上部５１の一側縁より短手方向に退出させられ、天板下部５２の他側縁は、天板上部５１の他側縁より短手方向に突出させられており、天板下部５２及び天板上部５１の一側縁３１ａ側で成形凹部３７が形成され、天板下部５２の他側縁３１ｃ側で天板３１の成形凸部４２が形成されている。実施の形態では、天板下部５２は、金属板で形成され、他は木製である。材質はこれに限定されるものではなく、例えば、プラスチックを用いて形成する等適宜変更して差支えない。
【００６０】
実施の形態では、貫通孔３４と別貫通孔４１とを１つの被冠体３０に設けたので、別に設ける場合に比較して、判定部造形装置Ｓを簡略に形成することができる。また、天板３１を、天板上部５１と天板下部５２とで形成し、天板下部５２及び天板上部５１の一側縁３１ａ側で成形凹部３７を形成し、天板下部５２の他側縁３１ｃ側で天板３１の成形凸部４２を形成したので、成形凹部３７と成形凸部４２とを容易に作製することができる。
【００６１】
従って、跳躍競技の際に、この他の実施の形態に係る判定部造形装置Ｓを用いてファール判定板Ｆを作成するときは、以下のようにする。図１０に示す工程図を用い、先ず、図１０（ａ）に示すように、判定部造形装置Ｓの被冠体３０を板本体１０に被冠させ、その後、別貫通孔４１から板本体１０の凹所１５に粘土を付着させるとともに、粘土が被冠体３０の別貫通孔４１から突出するようにする。この状態で、図１０（ｂ）に示すように、別貫通孔４１から突出した粘土の余分部分をヘラＫにより削り取って切除する。これにより、判定部２０の傾斜面２１以外の部分が造形された中間品５０が造形される。この場合、被冠体３０を被せて、ヘラＫで粘土の余分部分を削り取って切除するだけで、中間品５０を所定形状に造形することができる。また、ヘラＫは、水平ガイド面４４を摺接するので、ぐらつくことがなく、中間品５０を長手方向に亘って均一に造形することができる。
【００６２】
次に、図１０（ｃ）に示すように、判定部造形装置Ｓの被冠体３０を、板本体１０から取外して、反転させ、今度は、付着させた中間品５０の粘土が被冠体３０の貫通孔３４から突出するように板本体１０に被冠させる。この状態で、図１０（ｄ）に示すように、貫通孔３４から突出した中間品５０の粘土の余分部分をヘラＫにより削り取って切除する。その後、図１０（ｅ）に示すように、判定部造形装置Ｓの被冠体３０を、板本体１０から取外す。これにより、判定部２０の傾斜面２１が造形され、判定部２０が所定形状に造形される。
【００６３】
この場合、被冠体３０を被せて、ヘラＫで粘土の余分部分を削り取って切除するだけで、判定部２０を所定形状に造形することができる。また、ヘラＫは、傾斜ガイド面３５を摺接するので、ぐらつくことがなく、判定部２０を長手方向に亘って均一に造形することができる。そのため、被冠体３０の成形部３６及び貫通孔３４の形状と大きさを競技規則に規定された寸法のとおりに作成しておけば、未熟練者であっても、競技規則に則した判定部２０を、容易且つ正確に造形することができる。
【００６４】
また、この場合、予め判定部２０の傾斜面２１以外の部分が造形された中間品５０を造形し、それから、判定部２０の傾斜面２１を切除して造形するので、２段階で判定部２０を造形することから、一時に造形する場合に比較して、判定部２０を、より一層正確に造形することができる。また、貫通孔３４と別貫通孔４１とを１つの被冠体３０に設けたので、別に設ける場合に比較して、判定部造形装置Ｓを簡略に形成することができる。
【００６５】
図１１には、また他の実施の形態に係る判定部造形装置Ｓを示している。これは、上記実施の形態では、別貫通孔４１を貫通孔３４とともに被冠体３０に設けたが、別貫通孔４１を被冠体３０とは別の別被冠体６０に形成し、判定部造形装置Ｓを、被冠体３０と別被冠体６０とで構成し、被冠体３０と別被冠体６０とを個別に用いるようにしたものである。
【００６６】
図１２には、更にまた他の実施の形態に係る判定部造形装置Ｓを示している。これは、板本体１０に被冠される被冠体３０を備えている。被冠体３０は、天板３１と、天板３１の一側縁３１ａ側に設けられ天板３１に一対の端部板を介して連結され判定部２０が設けられる凹所１５側の側面に接触させられる主側板３３とを備えて構成されている。天板３１の一側縁３１ａと主側板３３の内側縁３３ａとの間には、判定部２０の傾斜面２１を含む上向きに露出する部位に対応し、板本体１０の凹所１５に付着させた粘土が露出可能な貫通孔６１が形成されている。
【００６７】
主側板３３の上端部面３３ｂは判定部２０の傾斜面２１の所定角度（θ）に対応した傾斜角度θに傾斜形成されており、貫通孔６１から突出した粘土の余分部分を切除するヘラＫが摺接する傾斜ガイド面６２として構成されている。一方、天板３１の貫通孔６１を形成する一側縁３１ａ側は、板本体１０の上面と平行で且つ該上面よりも被覆部２３の所定厚さ（ｔ）分高い上側平面６３を有するとともに、一側縁３１ａが被覆部２３の板本体１０の上面上の長手方向側部面２３ａを成形する側部成形面６４として形成される成形凸部６５として構成されている。そして、天板３１の成形凸部６５の上側平面は、貫通孔６１から突出した粘土の余分部分を切除するヘラＫが摺接する水平ガイド面６６として構成されている。
【００６８】
そして、ヘラＫを、判定部２０の傾斜面２１に沿うとともに傾斜ガイド面６２を摺接する傾斜刃Ｋａと、この傾斜刃Ｋａに連続し判定部２０の被覆部２３の上面に沿うとともに水平ガイド面６６を摺接する水平刃Ｋｂとを備えて構成している。
【００６９】
従って、跳躍競技の際に、この更にまた他の実施の形態に係る判定部造形装置Ｓを用いてファール判定板Ｆを作成するときは、判定部造形装置Ｓの被冠体３０を板本体１０に被冠させ、その後、貫通孔６１から板本体１０の凹所１５に粘土を付着させるとともに、粘土が被冠体３０の貫通孔６１から突出するようにする。この状態で、貫通孔６１から突出した粘土の余分部分をヘラＫにより削り取って切除する。これにより、判定部２０の傾斜面２１と被覆部２３の上面が一時に造形されるとともに、貫通孔３４に露出した部分以外の部分が凹所１５とともに一時に成形される。
【００７０】
尚、上記実施の形態において、被冠体３０の構成は上述したものに限定されるものではなく、適宜変更して差支えない。即ち、本発明は、上述した本発明の実施の形態に限定されず、当業者は、本発明の新規な教示及び効果から実質的に離れることなく、これら例示である実施の形態に多くの変更を加えることが容易であり、これらの多くの変更は本発明の範囲に含まれる。
【符号の説明】
【００７１】
Ｓ  判定部造形装置
Ｆ  ファール判定板
１  助走路
２  踏切板
３  踏切線
１０  板本体
１５  凹所
２０  判定部
２１  傾斜面
２２  主体部
２３  被覆部
３０  被冠体
３１  天板
３１ａ  一側縁
３１ｂ  側端部面
３１ｃ  他側縁
３２  端部板
３３  主側板
３３ａ  内側縁
３３ｂ  上端部面
３４  貫通孔
３５  傾斜ガイド面
Ｋ  ヘラ
３６  成形部
３７  成形凹部
４０  別側板
４０ａ  内側縁
４０ｂ  上端部面
４１  別貫通孔
４２  成形凸部
４２ａ  上側平面
４３  側部成形面
４４  水平ガイド面
４５  成形部
５０  中間品
５１  天板上部
５２  天板下部
５３  離間面
６０  別被冠体
６１  貫通孔
６２  傾斜ガイド面
６３  上側平面
６４  側部成形面
６５  成形凸部
６６  水平ガイド面
【図１】
2018198935.tif 000003
【図２】
2018198935.tif 000004
【図３】
2018198935.tif 000005
【図４】
2018198935.tif 000006
【図５】
2018198935.tif 000007
【図６】
2018198935.tif 000008
【図７】
2018198935.tif 000009
【図８】
2018198935.tif 000010
【図９】
2018198935.tif 000011
【図１０】
2018198935.tif 000012
【図１１】
2018198935.tif 000013
【図１２】
2018198935.tif 000014
【図１３】
2018198935.tif 000015
【図１４】
2018198935.tif 000016
【図１５】
2018198935.tif 000017
【図１６】
2018198935.tif 000018